(57)【要約】【課題】主走査方向における用紙の片寄り補正が行われている場合でも、濃度ムラの補正精度の低下を防止する。【解決手段】用紙搬送経路上での主走査方向における用紙の片寄り量を検出する片寄り検出部、主走査方向に延在する感光体ドラムに濃度ムラ測定画像データに基づく潜像画像を書き込み、潜像画像を現像して濃度測定用画像が形成された濃度ムラ測定チャートを出力する画像形成部、濃度ムラ測定チャートを測定して測定データを生成する画像読取部、片寄り量に基づいて潜像画像の感光体ドラム上における主走査方向の書込位置を調整し、片寄り量に応じて測定データの主走査方向の位置を感光体ドラム上における主走査方向の書込位置に変換し、位置が変換された測定データに基づいて補正データを生成する制御部、補正データに基づいて画像の濃度を補正する濃度ムラ補正部、を備えた画像形成装置。【選択図】図５
2011186344.tif 000002
【特許請求の範囲】
【請求項１】
用紙の搬送方向と直交する方向である主走査方向に延在する像担持体に画像データに基づく潜像画像を書き込み、当該潜像画像を現像して用紙に画像を形成する画像形成部と、
前記画像形成部への用紙搬送経路上において前記主走査方向における用紙の片寄り量を検出する片寄り検出部と、
前記片寄り検出部により検出された前記片寄り量を記憶する記憶部と、
前記用紙上に形成された画像の主走査方向における予め設定された複数の位置の濃度を測定して測定データを生成する濃度測定部と、
前記片寄り量に基づいて前記潜像画像の前記像担持体上における主走査方向の書込位置を調整し、
前記画像形成部に対して、前記主走査方向に同一濃度の画像データに基づく潜像画像を前記像担持体に書き込ませ、かつ、当該潜像画像を現像して濃度測定用画像が形成された用紙を出力させ、
前記記憶部に記憶されている片寄り量に応じて、前記濃度測定部から取得した測定データの前記用紙上における主走査方向の位置を前記像担持体上における主走査方向の書込位置に変換し、当該主走査方向の位置が変換された測定データに基づいて、前記主走査方向の濃度ムラを補正する補正データを生成する制御部と、
前記制御部により生成された補正データに基づいて前記画像形成部により形成される画像の濃度を補正する濃度ムラ補正部と、
を備えた画像形成装置。
【請求項２】
用紙の搬送方向と直交する方向である主走査方向に延在する像担持体に画像データに基づく潜像画像を書き込み、当該潜像画像を現像して用紙に画像を形成して出力する画像形成部と、
前記画像形成部への用紙搬送経路上において前記主走査方向における用紙の片寄り量を検出する片寄り検出部と、
前記用紙上に形成された画像の主走査方向における予め設定された複数の位置の濃度を測定して測定データを生成する濃度測定部と、
前記片寄り量の入力を受け付ける入力部と、
前記片寄り量に基づいて前記潜像画像の前記像担持体上における主走査方向の書込位置を調整し、
前記画像形成部に対して、前記主走査方向に同一濃度の画像データ及び前記片寄り量を示す画像データに基づく潜像画像を前記像担持体に書き込ませ、かつ、当該潜像画像を現像して濃度測定用画像及び片寄り量画像が形成された用紙を出力させ、
前記用紙上に形成された片寄り量画像が示す片寄り量の入力を前記入力部から受け付け、
前記入力部から受け付けた片寄り量に応じて、前記濃度測定部から取得した測定データの前記用紙上における主走査方向の位置を前記像担持体上における主走査方向の書込位置に変換し、当該主走査方向の位置が変換された測定データに基づいて、前記主走査方向の濃度ムラを補正する補正データを生成する制御部と、
前記制御部により生成された補正データに基づいて前記画像形成部により形成される画像の濃度を補正する濃度ムラ補正部と、
を備えた画像形成装置。
【請求項３】
前記制御部は、
前記画像形成部へ搬送される用紙の主走査方向の長さに応じて、前記濃度測定用画像を形成する画像データの主走査方向の長さを変更する、
請求項１又は２に記載の画像形成装置。
【請求項４】
前記制御部は、
前記測定データの用紙上における主走査方向の位置を、当該用紙のサイズに基づいて予め設定された前記像担持体上における主走査方向の書込位置に変換し、
前記主走査方向の位置が像担持体上における書込位置に変換された測定データに対して、片寄り量に応じた当該測定データの位置の調整を行う、
請求項１から３のいずれか一項に記載の画像形成装置。
【請求項５】
用紙搬送経路上において用紙搬送方向と直交する方向である主走査方向における用紙の片寄り量を検出する片寄り検出工程と、
前記検出された片寄り量を記憶部に記憶する記憶工程と、
前記主走査方向に延在する像担持体に前記主走査方向に同一濃度の画像データに基づく潜像画像を書き込み、当該潜像画像を現像して濃度測定用画像が形成された用紙を出力する用紙出力工程と、
前記片寄り量に基づいて前記潜像画像の前記像担持体上における主走査方向の書込位置を調整する片寄り量補正工程と、
前記用紙上に形成された濃度測定用画像の主走査方向における予め設定された複数の位置の濃度を測定して測定データを生成する濃度測定工程と、
前記記憶部に記憶されている片寄り量に応じて、前記濃度測定工程により生成された測定データの前記用紙上における主走査方向の位置を前記像担持体上における主走査方向の書込位置に変換し、当該主走査方向の位置が変換された測定データに基づいて、前記主走査方向の濃度ムラを補正する補正データを生成する補正データ生成工程と、
前記生成された補正データに基づいて前記用紙に形成される画像の濃度を補正する濃度ムラ補正工程と、
を含む濃度ムラ補正方法。
【請求項６】
用紙搬送経路上において用紙搬送方向と直交する方向である主走査方向における用紙の片寄り量を検出する片寄り検出工程と、
前記主走査方向に延在する像担持体に前記主走査方向に同一濃度の画像データ及び前記片寄り量を示す画像データに基づく潜像画像を書き込み、当該潜像画像を現像して濃度測定用画像及び片寄り量画像が形成された用紙を出力する用紙出力工程と、
前記片寄り量に基づいて前記潜像画像の前記像担持体上における主走査方向の書込位置を調整する片寄り量補正工程と、
前記用紙上に形成された濃度測定用画像の主走査方向における予め設定された複数の位置の濃度を測定して測定データを生成する濃度測定工程と、
前記用紙上に形成された片寄り量画像が示す片寄り量の入力を受け付ける入力工程と、
前記入力工程により受け付けた片寄り量に応じて、前記濃度測定工程により生成された測定データの前記用紙上における主走査方向の位置を前記像担持体上における主走査方向の書込位置に変換し、当該主走査方向の位置が変換された測定データに基づいて、前記主走査方向の濃度ムラを補正する補正データを生成する補正データ生成工程と、
前記生成された補正データに基づいて前記用紙に形成される画像の濃度を補正する濃度ムラ補正工程と、
を含む濃度ムラ補正方法。
【発明の詳細な説明】
【技術分野】
【０００１】
本発明は、画像形成装置及び濃度ムラ補正方法に関する。
【背景技術】
【０００２】
近年、電子写真方式の画像形成装置では、感光体ドラム等の一定周期で露光面が回動する像担持体上に静電潜像を形成し、この静電潜像にトナーを付着させてトナー像を形成し、当該トナー像を転写装置によって用紙に転写して、用紙上に画像を形成している。
【０００３】
このような画像形成装置では、静電潜像を形成する露光装置の光学系の歪みや、感光体ドラムとトナーを付着させる現像器との取付誤差等に起因して、用紙に形成された画像の主走査方向に濃度ムラが生じて画質が低下するという問題がある。そのため、主走査方向の濃度ムラを検知し、当該検知結果に基づいて濃度ムラの補正が行われている。
【０００４】
例えば、主走査方向の濃度ムラを補正するために、主走査方向が同一濃度で、副走査方向が段階的に濃度が変化する濃度パターンの画像パターンと当該画像パターンの画像中心位置を示すマークと転写紙に形成し、転写紙に形成された画像パターンを読み取り、読み取った画像パターンの画像中心位置を示すマークに対する画像濃度を基準濃度とし、基準濃度と読み取った画像パターンの主走査方向の画像濃度とを比較し、基準位置と差がある位置の画像濃度が基準濃度と同じになるように画像書込部の書き込み光量を補正する画像形成装置が開示されている。
【先行技術文献】
【特許文献】
【０００５】
【特許文献１】特開２００２−４９１８９号公報
【発明の概要】
【発明が解決しようとする課題】
【０００６】
主走査方向の濃度ムラ補正を行う場合には、主走査方向の濃度ムラの補正精度を高めるため、濃度ムラを測定する画像（濃度ムラ測定画像）の主走査方向の長さを、当該濃度ムラ測定画像が形成される用紙の主走査方向の長さと略等しい長さとすることが求められる。しかし、用紙の搬送経路上の途中で用紙の主走査方向の位置が一方向に片寄ると、濃度ムラ測定画像の主走査方向の中心位置と用紙の主走査方向の中心位置とにズレが生じ、濃度ムラ測定画像が用紙の画像形成領域からはみ出るという問題があった。
【０００７】
そこで、用紙の片寄り量に対して画像の書き込み位置を主走査方向に移動する片寄り補正が行われている。この片寄り補正を行うことによって、用紙の主走査方向の長さと略同じ長さの濃度ムラ測定画像を用紙に形成させることが可能となっている。
【０００８】
濃度ムラの補正データは、像担持体に対する書込位置に対応して生成されるものであるのに対し、濃度ムラ測定画像から測定された測定データは、当該濃度ムラ測定画像が形成された用紙上の位置に対応するものである。そのため、測定データの位置を予め設定された像担持体の書込位置に変換している。
【０００９】
しかしながら、片寄り補正が行われている場合には、濃度ムラ測定画像を形成した際の書込位置の中心位置と、像担持体の書込位置の中心位置とが一致しないため、補正データを生成する際の測定データとしては適さず、補正データによる補正精度が低下し、濃度ムラが解消できないという問題が生じる。
【００１０】
本発明の課題は、上記問題に鑑みて、主走査方向における用紙の片寄り補正が行われている場合であっても、濃度ムラの補正精度の低下を防止することである。
【課題を解決するための手段】
【００１１】
請求項１に記載の発明は、用紙の搬送方向と直交する方向である主走査方向に延在する像担持体に画像データに基づく潜像画像を書き込み、当該潜像画像を現像して用紙に画像を形成する画像形成部と、前記画像形成部への用紙搬送経路上において前記主走査方向における用紙の片寄り量を検出する片寄り検出部と、前記片寄り検出部により検出された前記片寄り量を記憶する記憶部と、前記用紙上に形成された画像の主走査方向における予め設定された複数の位置の濃度を測定して測定データを生成する濃度測定部と、前記片寄り量に基づいて前記潜像画像の前記像担持体上における主走査方向の書込位置を調整し、前記画像形成部に対して、前記主走査方向に同一濃度の画像データに基づく潜像画像を前記像担持体に書き込ませ、かつ、当該潜像画像を現像して濃度測定用画像が形成された用紙を出力させ、前記記憶部に記憶されている片寄り量に応じて、前記濃度測定部から取得した測定データの前記用紙上における主走査方向の位置を前記像担持体上における主走査方向の書込位置に変換し、当該主走査方向の位置が変換された測定データに基づいて、前記主走査方向の濃度ムラを補正する補正データを生成する制御部と、前記制御部により生成された補正データに基づいて前記画像形成部により形成される画像の濃度を補正する濃度ムラ補正部と、を備えた画像形成装置である。
【００１２】
請求項２に記載の発明は、用紙の搬送方向と直交する方向である主走査方向に延在する像担持体に画像データに基づく潜像画像を書き込み、当該潜像画像を現像して用紙に画像を形成して出力する画像形成部と、前記画像形成部への用紙搬送経路上において前記主走査方向における用紙の片寄り量を検出する片寄り検出部と、前記用紙上に形成された画像の主走査方向における予め設定された複数の位置の濃度を測定して測定データを生成する濃度測定部と、前記片寄り量の入力を受け付ける入力部と、前記片寄り量に基づいて前記潜像画像の前記像担持体上における主走査方向の書込位置を調整し、
前記画像形成部に対して、前記主走査方向に同一濃度の画像データ及び前記片寄り量を示す画像データに基づく潜像画像を前記像担持体に書き込ませ、かつ、当該潜像画像を現像して濃度測定用画像及び片寄り量画像が形成された用紙を出力させ、前記用紙上に形成された片寄り量画像が示す片寄り量の入力を前記入力部から受け付け、前記入力部から受け付けた片寄り量に応じて、前記濃度測定部から取得した測定データの前記用紙上における主走査方向の位置を前記像担持体上における主走査方向の書込位置に変換し、当該主走査方向の位置が変換された測定データに基づいて、前記主走査方向の濃度ムラを補正する補正データを生成する制御部と、前記制御部により生成された補正データに基づいて前記画像形成部により形成される画像の濃度を補正する濃度ムラ補正部と、を備えた画像形成装置である。
【００１３】
請求項３に記載の発明は、請求項１又は２に記載の画像形成装置において、前記制御部は、前記画像形成部へ搬送される用紙の主走査方向の長さに応じて、前記濃度測定用画像を形成する画像データの主走査方向の長さを変更する。
【００１４】
請求項４に記載の発明は、請求項１から３のいずれか一項に記載の画像形成装置において、前記制御部は、前記測定データの用紙上における主走査方向の位置を、当該用紙のサイズに基づいて予め設定された前記像担持体上における主走査方向の書込位置に変換し、前記主走査方向の位置が像担持体上における書込位置に変換された測定データに対して、片寄り量に応じた当該測定データの位置の調整を行う。
【００１５】
請求項５に記載の発明は、用紙搬送経路上において用紙搬送方向と直交する方向である主走査方向における用紙の片寄り量を検出する片寄り検出工程と、前記検出された片寄り量を記憶部に記憶する記憶工程と、前記主走査方向に延在する像担持体に前記主走査方向に同一濃度の画像データに基づく潜像画像を書き込み、当該潜像画像を現像して濃度測定用画像が形成された用紙を出力する用紙出力工程と、前記片寄り量に基づいて前記潜像画像の前記像担持体上における主走査方向の書込位置を調整する片寄り量補正工程と、前記用紙上に形成された濃度測定用画像の主走査方向における予め設定された複数の位置の濃度を測定して測定データを生成する濃度測定工程と、前記記憶部に記憶されている片寄り量に応じて、前記濃度測定工程により生成された測定データの前記用紙上における主走査方向の位置を前記像担持体上における主走査方向の書込位置に変換し、当該主走査方向の位置が変換された測定データに基づいて、前記主走査方向の濃度ムラを補正する補正データを生成する補正データ生成工程と、前記生成された補正データに基づいて前記用紙に形成される画像の濃度を補正する濃度ムラ補正工程と、を含む濃度ムラ補正方法である。
【００１６】
請求項６に記載の発明は、用紙搬送経路上において用紙搬送方向と直交する方向である主走査方向における用紙の片寄り量を検出する片寄り検出工程と、前記主走査方向に延在する像担持体に前記主走査方向に同一濃度の画像データ及び前記片寄り量を示す画像データに基づく潜像画像を書き込み、当該潜像画像を現像して濃度測定用画像及び片寄り量画像が形成された用紙を出力する用紙出力工程と、前記片寄り量に基づいて前記潜像画像の前記像担持体上における主走査方向の書込位置を調整する片寄り量補正工程と、前記用紙上に形成された濃度測定用画像の主走査方向における予め設定された複数の位置の濃度を測定して測定データを生成する濃度測定工程と、前記用紙上に形成された片寄り量画像が示す片寄り量の入力を受け付ける入力工程と、前記入力工程により受け付けた片寄り量に応じて、前記濃度測定工程により生成された測定データの前記用紙上における主走査方向の位置を前記像担持体上における主走査方向の書込位置に変換し、当該主走査方向の位置が変換された測定データに基づいて、前記主走査方向の濃度ムラを補正する補正データを生成する補正データ生成工程と、前記生成された補正データに基づいて前記用紙に形成される画像の濃度を補正する濃度ムラ補正工程と、を含む濃度ムラ補正方法である。
【発明の効果】
【００１７】
請求項１、５に記載の発明によれば、用紙の搬送方向と直交する主走査方向において用紙の片寄り補正が行われている場合であっても、片寄り量に基づいて主走査方向の書込位置が調整された濃度測定用画像が形成された用紙から取得した測定データの位置を、記憶部に記憶されている片寄り量に応じた像担持体の書込位置に変換でき、濃度ムラの補正精度の低下を防止することができる。
【００１８】
請求項２、６に記載の発明によれば、用紙の搬送方向と直交する主走査方向において用紙の片寄り補正が行われている場合であっても、片寄り量に基づいて主走査方向の書込位置が調整された濃度測定用画像が形成された用紙から取得した測定データの位置を、濃度測定用画像と共に用紙に形成された片寄り量画像が示す片寄り量に応じた像担持体の書込位置に変換でき、濃度ムラの補正精度の低下を防止することができる。
【００１９】
請求項３に記載の発明によれば、請求項１又は２と同様の効果を得られるのは勿論のこと、画像形成部へ搬送される用紙の主走査方向の長さに応じた主走査方向の長さの濃度測定用画像が形成された用紙を出力することができるため、用紙の主走査方向の長さに亘る測定データを取得でき、補正データの精度を高めることができる。
【００２０】
請求項４に記載の発明によれば、請求項１から３のいずれか一項と同様の効果を得られるのは勿論のこと、測定データの用紙上における主走査方向の位置を、当該用紙のサイズに基づいて予め設定された像担持体上における主走査方向の書込位置に変換し、主走査方向の位置が像担持体上における書込位置に変換された測定データに対して、片寄り量に応じた書込位置の調整を行うことができる。
【図面の簡単な説明】
【００２１】
【図１】実施の形態１における画像形成装置の概略構成図である。
【図２】実施の形態１における濃度ムラ測定チャートの例を示す図である。
【図３】（ａ）は、片寄り検出部４１ａと用紙Ｐとの位置関係を模式的に示した図であり、（ｂ）は、片寄り検出部４１ａのＡ−Ａ断面を模式的に示した図である。
【図４】実施の形態１における濃度ムラ測定チャート出力処理のフローチャートである。
【図５】実施の形態１における濃度ムラ補正データ生成処理のフローチャートである。
【図６】濃度ムラ補正チャートである用紙上における主走査方向の位置と、感光体ドラム上における主走査方向の書込位置との関係例を示す図である。
【図７】ステップＳ１４、１５における測定データの位置の遷移の例を示す図である。
【図８】実施の形態２における濃度ムラ測定チャートの例を示す図である。
【図９】実施の形態２における濃度ムラ測定チャート出力処理のフローチャートである。
【図１０】実施の形態２における濃度ムラ補正データ生成処理のフローチャートである。
【発明を実施するための形態】
【００２２】
〔実施の形態１〕
以下、図を参照して本実施の形態１を詳細に説明する。
まず、構成を説明する。
図１に、本実施の形態１における画像形成装置１の概略構成図を示す。
図１に示すように、画像形成装置１は、本体制御部１０と、画像読取部２０と、操作表示部３０と、プリント部４０と、プリンタコントローラ５０等を備えて構成される。
【００２３】
本体制御部１０は、制御部１１０、不揮発メモリ１２０、画像メモリ１３０、画像処理部１４０等を備え、各部は制御部１１０によって制御されている。
【００２４】
制御部１１０は、ＣＰＵ（Central Processing Unit）、ＲＯＭ（Read Only Memory）、ＲＡＭ（Random Access Memory）等から構成され、ＲＯＭ、不揮発メモリ１２０又はＤＢ１２２に格納されているシステムプログラム及び各種アプリケーションプログラム、各種データの中から指定されたプログラムやデータを読み出してＲＡＭに展開し、ＲＡＭに展開されたプログラムとの協働で、各種処理を実行し、画像形成装置１の各部を集中制御する。例えば、制御部１１０は、操作表示部３０やプリンタコントローラ５０を介して接続された外部装置２から入力される指示信号に従って、コピーモード、プリンタモード、スキャナモードを切り替え、複写、プリント、画像データの読取等の制御を行う。
【００２５】
また、制御部１１０は、ＲＯＭ又は不揮発メモリ１２０から片寄り補正処理プログラム、濃度ムラ測定チャート出力処理プログラム、濃度ムラ補正データ生成処理プログラムや必要な各種データを読み出し、当該プログラム及び各種データとの協働により、片寄り補正処理、濃度ムラ測定チャート出力処理、濃度ムラ補正データ生成処理を実行する。
【００２６】
片寄り補正処理では、プリント部４０内の用紙搬送経路上に設けられた片寄りセンサから検出された片寄り量に基づいて潜像画像の像担持体（感光体ドラム）上における主走査方向の書込位置を調整する処理である。従って、制御部１１０は、片寄り補正部として機能する。
【００２７】
本実施の形態１における濃度ムラ測定チャート出力処理では、操作表示部３０により選択された給紙トレイに格納されている用紙の用紙サイズに基づいて、当該用紙が用紙搬送経路上で搬送される際の用紙搬送方向と直交する方向である主走査方向の長さが取得される。そして、取得された主走査方向の長さに応じた主走査方向の長さの濃度ムラ測定画像データが生成される。生成された濃度ムラ測定画像データに基づく潜像画像が感光体ドラムに書き込まれ、当該潜像画像が現像され濃度測定用画像が形成された用紙（濃度ムラ測定チャート）が出力される。
【００２８】
図２に、本実施の形態１における濃度ムラ測定チャートの例を示す。
図２に示すように、濃度ムラ測定チャートＰ０は、予め設定された濃度で主走査方向Ｘに延在する複数の帯状画像Ｐ１〜Ｐ９から成る濃度測定用画像を有している。帯状画像Ｐ１〜Ｐ９は、用紙搬送方向（副走査方向Ｙ）において隣接する帯状画像とは濃度が異なる画像であり、副走査方向Ｙにおける用紙の先端から終端の方向に向かって、各帯状画像の濃度が順次濃く又は薄くなるように配列されている。
図２では、プリント部４０が備える画像形成部内の１色のトナー色で形成された濃度ムラ測定チャートの例を示しているが、これに限らず、画像形成部内に備えられているトナー色毎に濃度測定用画像を形成することが好ましい。
【００２９】
また、濃度ムラ測定チャートＰ０は、各帯状画像の副走査方向の位置を示すマークＭ１〜Ｍ１０が、帯状画像の主走査方向の両端部に設けられている。なお、図２に示す主走査方向Ｘにおいて一定間隔で配置された複数の破線は、画像読取部２０又は測定器により各帯状画像の主走査方向の濃度が計測される位置を示すものである。
【００３０】
本実施の形態１における濃度ムラ補正データ生成処理では、濃度ムラ測定チャート上に形成された濃度測定用画像の各帯状画像の主走査方向の各位置の濃度を示す測定データが画像読取部又は測定器から取得され、当該濃度ムラ測定チャートが出力された際の片寄り量が不揮発メモリ１２０から読み出され、当該片寄り量に応じて測定データの用紙上における主走査方向の位置が感光体ドラム上における主走査方向の書込位置に変換される。そして、主走査方向の位置が変換された測定データに基づいて、主走査方向の濃度ムラを補正する補正データが生成される。
【００３１】
不揮発メモリ１２０は、画像形成に係る各種処理プログラム及び各種データの他、本実施の形態１に係る片寄り補正処理プログラム、濃度ムラ測定チャート出力処理プログラム、濃度ムラ補正データ生成処理プログラムや、各種プログラムの実行によりで生成されるデータや処理されたデータ等を記憶する。
また、不揮発メモリ１２０は、片寄り検出部４１ａから検出された片寄り量を記憶する記憶部として機能する。
【００３２】
画像メモリ１３０は、ＨＤＤ（Hard Disk Drive）、ＤＲＡＭ（Dynamic RAM）等により構成され、画像データを読み書き可能に記憶する。画像メモリ１３０は、制御部１１０からの指示により、画像読取部２０又はプリンタコントローラ５０から入力された画像データを記憶して保存したり、画像メモリ１３０に記憶されている画像データを読み出して画像処理部１４０に出力する。
【００３３】
画像処理部１４０は、画像読取部２０、プリンタコントローラ５０又は画像メモリ１３０から入力された画像データにスクリーン処理等の各種画像処理を施して画像メモリ１３０に出力する。画像処理部１４０は、例えば、画像読取部２０から入力されたアナログの画像信号をデジタルの画像データに変換したり、デジタルの画像データを圧縮して画像メモリ１３０に出力したり、圧縮画像データを伸長してプリントデータとして出力したりする
【００３４】
更に、画像処理部１４０は、濃度ムラ補正部１４１を有している。
濃度ムラ補正部１４１では、制御部１１０から入力される補正データに基づいて、画像形成部が備えるトナー色毎に、主走査方向における各画素の濃度が補正される。
【００３５】
また、画像処理部１４０は、画像形成部４２からの出力される主走査書込基準信号（ＩＮＤＥＸ信号）と制御部１１０からの指示に従って、主走査有効書込信号（ＨＶ信号；Horizontal Valid信号）や副走査有効書込信号（ＶＶ信号；Vertical Valid信号）、クロック信号等を生成し、画像形成部４２に出力する。
【００３６】
ＩＮＤＥＸ信号は、露光装置のレーザが主走査方向を走査する際に主走査方向の走査開始位置近傍に設けられたセンサを通過した際に発生するタイミング信号であり、ＩＮＤＥＸ信号が立ち上がるタイミングから次のＩＮＤＥＸ信号が立ち上がるタイミングまでの時間（主走査書込基準期間）は一定である。
ＨＶ信号は、用紙のサイズの主走査方向の長さに基づいて生成され、ＨＶ信号が立ち上がった（High）とき（ＨＳ）からＨＶ信号が立ち下がった（Low）とき（ＨＥ）までが主走査方向の１ライン分の有効領域を示す。
【００３７】
画像読取部２０は、ＣＣＤ、画像読取制御部、ＡＤＦ（Auto Document Feeder）と称される自動原稿送り部や読取部等から構成される。画像読取制御部は、制御部１１０からの指示に基づいて自動原稿送り部、読取部等を制御して、複数の原稿の画像を読み取るスキャナ機能を有する。読み取られた画像データは画像処理部１４０に出力される。ここで、画像とは、図形や写真等のイメージデータに限らず、文字や記号等のテキストデータ等も含む意である。
【００３８】
また、本実施の形態１における画像読取部２０は、スキャナ機能を用いて濃度ムラ測定チャートを読み取り、濃度ムラ測定チャート上に形成された各帯状画像の主走査方向の各位置の濃度を測定し、測定データを生成する濃度測定部として機能する。
【００３９】
なお、濃度ムラ測定チャートの読み取り専用の測定器を用いて、濃度ムラ測定チャートを読み取って測定データを生成し、生成された測定データを制御部１１０に出力する構成を濃度測定部として用いてもよい。
測定器は、ＣＣＤカメラ、光学透過濃度計などの濃度計を備えて構成されている。測定器は、ＣＣＤカメラや濃度計により濃度ムラ測定テストチャートの各帯状画像の主走査方向の各位置の濃度を測定して、測定データを生成する。測定器としては、可搬型や、予め画像形成装置１に設けられたものでもよい
【００４０】
操作表示部３０は、ＬＣＤ（Liquid Crystal Display）等から構成される表示部と、ＬＣＤを覆うように設けられたタッチパネル３１、その他図示しない操作キー等の入力部と、操作表示制御部とから構成される。操作表示部３０は、タッチパネル３１又は操作キー等の入力部から入力される操作信号を制御部１１０に出力する。また、操作表示部３０は、操作表示制御部により制御部１１０から入力される表示信号に従って、各種設定条件を入力するための各種画面や各種処理結果等を表示部に表示する。
【００４１】
プリント部４０は、入力されたプリントデータに基づいて、電子写真方式の画像形成処理を行うものであり、給紙部、用紙搬送部４１、各色の画像形成部４２、定着部、搬出部等のプリント出力に係る各部やプリント制御部を備えて構成される。
【００４２】
給紙部は、複数の給紙トレイを備える。各給紙トレイには、用紙の種類（紙種、坪量、用紙サイズ等）毎に予め識別された用紙が格納されており、用紙の最上部から一枚ずつ用紙搬送部４１に向けて搬送される。
【００４３】
用紙搬送部４１は、給紙トレイから搬送された用紙を、複数の中間ローラ、レジストローラ等を経る画像形成部４２への用紙搬送経路上に用紙を搬送し、画像形成部４２の転写装置へと搬送する。
【００４４】
用紙搬送部４１の用紙搬送経路上において、用紙搬送方向と直交する方向（主走査方向）における用紙の片寄り量を検出する片寄り検出部４１ａが設けられている。
片寄り検出部４１ａは、主走査方向に配列された複数の発光ダイオードからなる発光部と、主走査方向に延在するラインＣＣＤからなる受光部等から構成される。片寄り検出部４１ａは、用紙搬送方向と直交する方向に用紙の位置と予め設定された位置との距離（片寄り量）を検出する。
【００４５】
図３（ａ）に、片寄り検出部４１ａと用紙Ｐとの位置関係を模式的に示し、図３（ｂ）に、片寄り検出部４１ａのＡ−Ａ断面を模式的に示す。
図３（ａ）に示すように、片寄り検出部４１ａは、用紙搬送方向（副走査方向Ｙ）と直交する方向（主走査方向Ｘ）に延在して設けられており、片寄り検出部４１ａの下部を用紙Ｐが通過する位置に設けられている。また、図３（ｂ）に示すように、片寄り検出部４１ａ、発光部４１ａ１と受光部４１ａ２とを備える。発光部４１ａ１から照射された光が用紙Ｐにより反射され、当該反射光を受光部４１ａ２が受光することにより、片寄り検出部４１ａは、用紙Ｐが下部を通過したか否かを検知している。
【００４６】
図３（ａ）に示すように、片寄り検出部４１ａの一端を片寄りセンサ原点Ｘ０とし、用紙Ｐの主走査方向の長さに応じて、用紙搬送方向と直交する方向（主走査方向Ｘ）での用紙の一端部の正規位置Ｘａが定められる。片寄り検出部４１ａは、用紙Ｐが通過した位置を検知できるため、通過した用紙Ｐの一端部を検知することができる。片寄り検出部４１ａは、用紙Ｐの一端部の位置Ｘｂと正規位置Ｘａとの距離を算出し、当該算出した距離を片寄り量として制御部１１０に出力する。
【００４７】
画像形成部４２は、用紙の搬送方向と直交する方向である主走査方向に延在する像担持体としての感光体ドラム、帯電装置、露光装置、現像装置、一次転写ローラ、クリーニング装置等を備え、ジョブデータに含まれる画像データに基づき用紙上に画像が形成された出力物を生成する。画像形成装置１がカラー画像を形成するものである場合には、画像形成部４２が色毎に設けられる。
【００４８】
イエロー（Ｙ）の画像を形成する画像形成部４２では、帯電装置により帯電された感光体ドラムの表面に、露光装置からイエロー（Ｙ）の画像データに応じた光が照射され静電潜像が書き込まれる。そして、静電潜像が書き込まれた感光体ドラムの表面に、帯電したイエロー（Ｙ）のトナーが現像装置により付着されて静電潜像が現像される。現像装置により感光体ドラム上に付着したトナーは、感光体ドラムが一定速度で回転されることにより、一次転写ローラが配置された一次転写位置で中間転写ベルトに転写される。中間転写ベルトにトナーが転写された後、クリーニング装置により、感光体ドラムの表面の残留電荷や残留トナー等が除去される。
【００４９】
同様に、各色の画像形成部４２は、感光体ドラムの周囲に配置された帯電装置、露光装置、現像装置、一次転写ローラ、クリーニング装置を備え、マゼンタ（Ｍ）、シアン（Ｃ）、ブラック（Ｋ）のトナー像をそれぞれ形成する。
【００５０】
中間転写ベルトに転写された各色のトナー像は、二次転写ローラが配置された二次転写位置で用紙に一括転写される。
【００５１】
定着装置は、用紙に転写されたトナー像を熱定着する。搬出部は、定着処理された用紙を、排紙ローラ等により挟持して排紙トレイ上に排出する。
【００５２】
プリンタコントローラ５０は、画像形成装置１をネットワークプリンタとして使用する場合に、ＬＡＮ（Local Area Network）等のネットワーク３に接続されるＰＣ（Personal Computer）等の外部装置２から画像形成装置１に送信されるジョブの管理及び制御を行う。プリンタコントローラ５０は、外部装置２からプリント対象のデータを受信し、当該データをジョブデータとして制御部１１０へ出力する。
【００５３】
次に、本実施の形態１の動作を説明する。
図４に、本実施の形態１における濃度ムラ測定チャート出力処理のフローチャートを示す。図４に示すフローチャートは、制御部１１０と各部との協働によって実行される処理である。
【００５４】
制御部１１０は、操作表示部３０から濃度ムラ測定チャートの出力指示が入力され、濃度ムラ測定チャートとして出力する用紙が格納された給紙トレイの選択指示が入力されると（ステップＳ１）、選択された給紙トレイに格納されている用紙の用紙サイズを取得し、取得した用紙サイズに応じて当該用紙の搬送方向と直交する方向の長さ（主走査長さ）を取得する（ステップＳ２）。
【００５５】
制御部１１０は、ステップＳ２において取得した用紙の主走査長さを、濃度ムラ測定画像データの主走査方向の長さ、即ち、各帯状画像の主走査方向の長さに設定し（ステップＳ３）、主走査方向の長さがステップＳ３において設定した長さとなる濃度ムラ測定画像データを生成する（ステップＳ４）。
【００５６】
制御部１１０は、ステップＳ１において選択された用紙トレイに格納されている用紙の搬送を用紙搬送部４１に開始させ（ステップＳ５）、当該搬送された用紙の片寄り量を片寄り検出部４１ａから取得し（ステップＳ６）、取得した片寄り量を不揮発メモリ１２０に記憶させる（ステップＳ７）。
【００５７】
片寄り量を取得すると、制御部１１０は、片寄り補正処理を実行する（ステップＳ８）。ステップＳ８では、ＩＮＤＥＸ信号が立ち上がってからＨＶ信号が立ち上がるまでの時間を片寄り量に基づいて調整し、濃度ムラ測定画像データに基づく潜像画像の感光体ドラム上における主走査方向の書込位置が調整される。
【００５８】
制御部１１０は、ＨＶ信号等に応じて、濃度ムラ測定画像データに基づく濃度測定用画像を用紙に形成させ、濃度ムラ測定チャートをプリント部４０から出力させ（ステップＳ９）、濃度ムラ測定チャート出力処理を終了する。
【００５９】
図５に、本実施の形態１における濃度ムラ補正データ生成処理のフローチャートを示す。図５に示すフローチャートは、制御部１１０と各部との協働によって実行される処理である。
【００６０】
まず、濃度ムラ測定チャート出力処理において出力された濃度ムラ測定チャートの測定が行われる（ステップＳ１１）。
ステップＳ１１では、濃度ムラ測定チャートの主走査方向の予め設定された位置毎に、各色及び各帯状画像の濃度値が画像読取部２０又は測定器により測定され、測定データが生成される。
【００６１】
制御部１１０は、ステップＳ１１において生成された測定データを画像読取部２０又は測定器から取得する（ステップＳ１２）。また、制御部１１０は、不揮発メモリ１２０から濃度ムラ測定チャートが出力された際の片寄り量を読み出す（ステップＳ１３）。
【００６２】
制御部１１０は、ステップＳ１２において取得した測定データの用紙上における主走査方向の位置を、濃度ムラ測定チャートである用紙のサイズに基づいて、感光体ドラム上における主走査方向の予め設定された書込位置に変換する（ステップＳ１４）。
【００６３】
制御部１１０は、主走査方向の位置が感光体ドラム上における書込位置に変換された測定データに対して、片寄り量に基づく主走査方向の位置の調整を行う（ステップＳ１５）。
【００６４】
制御部１１０は、ステップＳ１５において主走査方向の位置の調整が行われた測定データに基づいて、濃度ムラを補正する補正データの生成処理を実行し（ステップＳ１６）、濃度ムラ補正データ生成処理を終了する。
【００６５】
画像読取部２０又は測定器により生成される測定データは、一般的に、ＸＹＺ表色系又はＲＧＢ表色系での値を示している。
そのため、ステップＳ１６では、まず、測定データがＸＹＺ表色系の値の場合にはＣＭＹＫ表色系のγカーブが算出され、ＲＧＢ表色系の値の場合にはＸＹＺ表色系に変換した後にＣＭＹＫ表色系のγカーブが算出される。また、副走査方向の位置毎（即ち、同一濃度の帯状画像毎）に、主走査方向の各位置での濃度の平均値が算出される。そして、帯状画像毎（濃度毎）に、主走査方向の各位置での濃度値と平均値との差分を補正するように、主走査方向の各位置の補正値がγカーブから算出される。
【００６６】
図６、図７を参照しながら、ステップＳ１４、Ｓ１５での処理を具体的例を挙げて説明する。
図６に、濃度ムラ補正チャートである用紙上における主走査方向の位置と、感光体ドラム上における主走査方向の書込位置との関係例を示し、図７に、ステップＳ１４、１５における測定データの主走査方向の位置の遷移の例を示す。
図６（ａ）には、用紙の位置が主走査方向に片寄りがない場合の例を示し、図６（ｂ）には、用紙の位置が主走査方向に片寄りがある場合の例を示している。
なお、本実施の形態１では、測定データの主走査方向の位置間隔（例えば、図６（ａ）のＸｐ１〜Ｘｐ２の距離）と、感光体ドラムの主走査方向の書込位置の位置間隔（例えば、図６（ａ）のＸ４〜Ｘ５の距離）とは、同一（例えば、１０［ｍｍ］）とする。
【００６７】
図６（ａ）に示すように、本実施の形態１では、用紙の位置が主走査方向に片寄りがない場合には、主走査書込基準期間の半分のタイミングでの感光体ドラム上における書込位置Ｘｎと、用紙上における主走査方向の中央の位置Ｘｐｎとは一致するものとする。この前提条件において、用紙の主走査方向の長さに応じて、ＩＮＤＥＸ信号の立ち上がりタイミングからＨＶ信号の立ち上がりタイミングまでの時間が規定されている。
【００６８】
図６（ａ）に示すように、用紙の位置が主走査方向に片寄りがない場合には、ステップＳ１４において、ステップＳ１２において取得した測定データの用紙上における主走査方向の位置Ｘｐ１、Ｘｐ２、・・・、Ｘｐｎ、・・・は、濃度ムラ測定チャートの用紙サイズに基づいて、予め設定された感光体ドラム上の主走査方向の書込位置Ｘ４、Ｘ５、・・・、Ｘｎ、・・・に変換される（図７（ａ）参照）。
【００６９】
そして、図７（ａ）に示すように、片寄り量がない場合（例えば、片寄り量が０［ｍｍ］の場合）には、ステップＳ１５では、ステップＳ１４において変換された位置に片寄り量（０［ｍｍ］）が加算されても、測定データの主走査方向の位置はステップＳ１４において変換された位置に維持されることとなる。
【００７０】
従って、片寄り量がない場合には、図７（ａ）に示すように、濃度ムラ測定チャートにより測定された測定データの主走査方向の位置Ｘｐ１、Ｘｐ２、・・・、Ｘｐｎ、・・・は、用紙サイズに基づいて予め設定された感光体ドラムの主走査方向の書込位置Ｘ４、Ｘ５、・・・、Ｘｎ、・・・となる。
【００７１】
次に、用紙の位置が主走査方向に片寄りがある場合について説明する。
図６（ｂ）に示すように、用紙の位置が主走査方向に片寄りがある場合には、主走査書込基準期間の半分のタイミングでの感光体ドラム上における書込位置Ｘｎと、用紙上における主走査方向の中央の位置Ｘｐｎとは一致しない。これは、片寄り補正処理により、ＩＮＤＥＸ信号が立ち上がったタイミングからＨＶ信号が立ち上がるタイミングまでの時間が、片寄りがない場合と比べて片寄り量に応じて長く（又は短く）調整されるためである。
【００７２】
図６（ｂ）に示すように、用紙の位置が主走査方向に片寄りがある場合には、まず、ステップＳ１４において、ステップＳ１２において取得した測定データの用紙上における主走査方向の位置Ｘｐ１、Ｘｐ２、・・・、Ｘｐｎ、・・・は、濃度ムラ測定チャートである用紙のサイズに基づいて、予め設定された感光体ドラム上の主走査方向の書込位置Ｘ４、Ｘ５、・・・、Ｘｎ、・・・に変換される（図７（ｂ）参照）。
【００７３】
そして、図７（ｂ）に示すように、片寄り量がある場合（例えば、片寄り量が+３０［ｍｍ］の場合）には、ステップＳ１５では、ステップＳ１４において変換された位置に片寄り量（+３０［ｍｍ］＝３位置間隔）が加算され、測定データの主走査方向の位置はステップＳ１４において変換された位置から３位置間隔分だけ移動することとなる。
【００７４】
従って、片寄り量がある場合には、図７（ｂ）に示すように、濃度ムラ測定チャートにより測定された測定データの主走査方向の位置Ｘｐ１、Ｘｐ２、・・・、Ｘｐｎ、・・・は、用紙サイズに基づいて予め設定された感光体ドラムの主走査方向の書込位置Ｘ４、Ｘ５、・・・、Ｘｎ、・・・から片寄り量の分だけ移動した書込位置Ｘ７、Ｘ８、・・・、Ｘｎ+３、・・・となる。
【００７５】
なお、片寄り量が位置間隔の倍数ではなく（例えば、片寄り量が２５ｍｍの場合）、測定データの主走査方向の位置と補正データの主走査方向の位置とが一致しない場合には、補正データの主走査方向の位置（例えば、Ｘ７）に隣接する測定データの主走査方向の位置（例えば、Ｘ６．５とＸ７．５）の測定値を用いた線形補間等を行い、補正データの主走査方向の各位置に対応する測定値を算出し、算出した各位置での測定値に基づいて補正データが生成される。
【００７６】
以上のように、本実施の形態１によれば、用紙の搬送方向と直交する主走査方向において用紙の片寄り補正が行われている場合であっても、片寄り補正が行われて出力された濃度ムラ測定チャートから取得した測定データの主走査方向の位置を、当該濃度ムラ測定チャートが出力された際に不揮発メモリ１２０に記憶されている片寄り量に基づいて感光体ドラムの主走査方向の書込位置に変換でき、片寄り補正処理による濃度ムラの補正精度の低下を防止することができる。
【００７７】
更に、画像形成部４２へ搬送される用紙の主走査方向の長さに応じた主走査方向の長さの濃度測定用画像が形成された濃度ムラ測定チャートを出力することができるため、用紙の主走査方向の長さに亘る測定データを取得でき、補正データの精度を高めることができる。
【００７８】
また、測定データの用紙上における主走査方向の位置を、濃度ムラ測定チャートの用紙サイズに基づいて予め設定された感光体ドラムの主走査方向の書込位置に変換し、主走査方向の位置が感光体ドラムの主走査方向の書込位置に変換された測定データに対して、片寄り量を加えることにより、片寄り量を加味した測定データの主走査方向の位置の調整を行うことができる。
【００７９】
〔実施の形態２〕
以下、図を参照して本実施の形態２を詳細に説明する。
まず、構成を説明する。
本実施の形態２における画像形成装置１の概略構成図は、実施の形態１と同様であるため、図示は省略し、異なる部分のみを説明する。
【００８０】
本実施の形態２における制御部１１０は、ＲＯＭ又は不揮発メモリ１２０から片寄り補正処理プログラム、濃度ムラ測定チャート出力処理プログラム、濃度ムラ補正データ生成処理プログラムや必要な各種データを読み出し、当該プログラム及び各種データとの協働により、片寄り補正処理、濃度ムラ測定チャート出力処理、濃度ムラ補正データ生成処理を実行する。片寄り補正処理は、実施の形態１と同様であるため、説明は省略する。
【００８１】
本実施の形態２における濃度ムラ測定チャート出力処理では、操作表示部３０により選択された給紙トレイに格納されている用紙の用紙サイズに基づいて、当該用紙が用紙搬送経路上で搬送される際の用紙搬送方向と直交する方向である主走査方向の長さが取得される。そして、取得された主走査方向の長さに応じた主走査方向の長さの濃度ムラ測定画像データが生成される。また、この生成された濃度ムラ測定画像データに基づいて濃度測定用画像が形成される用紙が搬送される際に検出された片寄り量を示す画像データ（片寄り量画像データ）が生成される。生成された濃度ムラ測定画像データ及び片寄り量画像データに基づく潜像画像が感光体ドラムに書き込まれ、当該潜像画像が現像され濃度測定用画像及び片寄り量画像が形成された用紙（濃度ムラ測定チャート）が出力される。
【００８２】
図８に、本実施の形態２における濃度ムラ測定チャートの例を示す。
図８に示すように、濃度ムラ測定チャートＰ１０は、実施の形態１のおける濃度ムラ測定チャートＰ０が有する複数の帯状画像Ｐ１〜Ｐ９から成る濃度測定用画像と、各帯状画像の副走査方向の位置を示すマークＭ１〜Ｍ１０とを有している。
【００８３】
なお、図８に示す主走査方向Ｘにおいて一定間隔で配置された複数の破線は、実施の形態１と同様に、画像読取部２０又は測定器により各帯状画像の主走査方向の濃度が計測される位置を示すものである。
図８では、プリント部４０が備える画像形成部内の１色のトナー色で形成された濃度ムラ測定チャートの例を示しているが、これに限らず、画像形成部内に備えられているトナー色毎に濃度測定用画像を形成することが好ましい。
【００８４】
更に、本実施の形態２における濃度ムラ測定チャートは、片寄り量画像Ｄを有している。片寄り量画像Ｄは、当該濃度ムラ測定チャートとなる用紙が搬送された際の片寄り量を示す画像である。更に、片寄り量画像Ｄは、当該濃度ムラ測定チャートが出力された日時情報、用紙のサイズ、スクリーンの種類等を示す画像が含まれていてもよい。
例えば、濃度ムラ測定チャートが出力された日時が２０１０年３月３１日、用紙サイズがＡ４、片寄り量が３０ｍｍの場合には、「２０１００３３１_Ａ４_３０ｍｍ」という画像が片寄り量画像Ｄとして形成される。
【００８５】
本実施の形態２における濃度ムラ補正データ生成処理では、濃度ムラ測定チャート上に形成された濃度測定用画像の各帯状画像の主走査方向の各位置の濃度を示す測定データが画像読取部又は測定器から取得され、また、濃度ムラ測定チャートに形成された片寄り量画像が示す片寄り量の入力が操作表示部３０により受け付けられる。
そして、操作表示部３０から入力された片寄り量に応じて測定データの用紙上における主走査方向の位置が感光体ドラム上における主走査方向の書込位置に変換される。そして、主走査方向の位置が変換された測定データに基づいて、主走査方向の濃度ムラを補正する補正データが生成される。
【００８６】
操作表示部３０は、ＬＣＤ（Liquid Crystal Display）等から構成される表示部と、ＬＣＤを覆うように設けられたタッチパネル３１、その他図示しない操作キー等の入力部と、操作表示制御部とから構成される。操作表示部３０は、タッチパネル３１又は操作キー等の入力部から入力される操作信号を制御部１１０に出力する。また、操作表示部３０は、操作表示制御部により制御部１１０から入力される表示信号に従って、各種設定条件を入力するための各種画面や各種処理結果等を表示部に表示する。
更に、操作表示部３０は、補正ムラ測定チャートに形成されている片寄り量画像が示す片寄り量の入力を受け付ける入力部として機能する。
【００８７】
次に、本実施の形態２の動作を説明する。
図９に、本実施の形態２における濃度ムラ測定チャート出力処理のフローチャートを示す。図９に示すフローチャートは、制御部１１０と各部との協働によって実行される処理である。
【００８８】
ステップＳ２１〜Ｓ２６は、実施の形態１の図４に示すステップＳ１〜Ｓ６と同様であるため、説明は省略する。
【００８９】
制御部１１０は、ステップＳ２６において取得した片寄り量に基づいて、当該片寄り量を示す画像データ（片寄り量画像データ）を生成する（ステップＳ２７）。
なお、ステップＳ２８は、実施の形態１の図４に示すステップＳ８と同様であるため、説明は省略する。
【００９０】
制御部１１０は、ＨＶ信号等に応じて、濃度ムラ測定画像データに基づく濃度測定用画像と片寄り量画像データに基づく片寄り量画像とを用紙に形成させ、濃度ムラ測定チャートをプリント部４０から出力させ（ステップＳ２９）、濃度ムラ測定チャート出力処理を終了する。
【００９１】
図１０に、本実施の形態２における濃度ムラ補正データ生成処理のフローチャートを示す。図１０に示すフローチャートは、制御部１１０と各部との協働によって実行される処理である。
【００９２】
ステップＳ３１、Ｓ３２は、実施の形態１の図５に示すステップＳ１１、Ｓ１２と同様であるため、説明は省略する。
【００９３】
濃度ムラ測定チャートに形成されている片寄り量画像がユーザによって参照され、当該ユーザが操作表示部３０を操作して片寄り量画像が示す片寄り量を入力することにより、制御部１１０は、操作表示部３０から片寄り量の入力を受け付ける（ステップＳ３３）。
【００９４】
ステップＳ３４〜Ｓ３６は、実施の形態１の図５に示すステップＳ１４〜Ｓ１６と同様であるため、説明は省略する。
【００９５】
以上のように、本実施の形態２によれば、用紙の搬送方向と直交する主走査方向において用紙の片寄り補正が行われている場合であっても、片寄り補正が行われて出力された濃度ムラ測定チャートから取得した測定データの主走査方向の位置を、当該濃度ムラ測定チャートに形成された片寄り量画像が示す片寄り量に基づいて感光体ドラムの主走査方向の書込位置に変換でき、片寄り補正処理による濃度ムラの補正精度の低下を防止することができる。
【００９６】
更に、実施の形態１と同様に、画像形成部４２へ搬送される用紙の主走査方向の長さに応じた主走査方向の長さの濃度測定用画像が形成された濃度ムラ測定チャートを出力することができるため、用紙の主走査方向の長さに亘る測定データを取得でき、補正データの精度を高めることができる。
【００９７】
更に、測定データの用紙上における主走査方向の位置を、濃度ムラ測定チャートの用紙サイズに基づいて予め設定された感光体ドラムの主走査方向の書込位置に変換し、主走査方向の位置が感光体ドラムの主走査方向の書込位置に変換された測定データに対して、片寄り量を加えることにより、片寄り量を加味した測定データの主走査方向の位置の調整を行うことができる。
【００９８】
以上の説明では、本発明に係るプログラムのコンピュータ読み取り可能な媒体として不揮発メモリ１２０を使用した例を開示したが、この例に限定されない。
その他のコンピュータ読み取り可能な媒体として、フラッシュメモリ等の不揮発性メモリ、ＣＤ-ＲＯＭ等の可搬型記録媒体を適用することが可能である。
また、本発明に係るプログラムのデータを通信回線を介して提供する媒体として、キャリアウエーブ(搬送波)も本発明に適用される。
【００９９】
また、本発明は、上記実施の形態１及び２の内容に限定されるものではなく、本発明の主旨を逸脱しない範囲で適宜変更可能である。
【符号の説明】
【０１００】
１  画像形成装置
２  外部装置
３  ネットワーク
１０  本体制御部
２０  画像読取部
３０  操作表示部
３１  タッチパネル
４０  プリント部
５０  プリンタコントローラ
４１  用紙搬送部
４１ａ  片寄り検出部
４１ａ１  発光部
４１ａ２  受光部
４２  画像形成部
１１０  制御部
１２０  不揮発メモリ
１３０  画像メモリ
１４０  画像処理部
１４１  濃度ムラ補正部
Ｄ  片寄り量画像
Ｍ１〜Ｍ１０  マーク
Ｐ  用紙
Ｐ０、Ｐ１０  濃度ムラ測定チャート
Ｐ１〜Ｐ９  帯状画像
Ｘ  主走査方向
Ｙ  副走査方向
【図１】
2011186344.tif 000003
【図２】
2011186344.tif 000004
【図３】
2011186344.tif 000005
【図４】
2011186344.tif 000006
【図５】
2011186344.tif 000007
【図６】
2011186344.tif 000008
【図７】
2011186344.tif 000009
【図８】
2011186344.tif 000010
【図９】
2011186344.tif 000011
【図１０】
2011186344.tif 000012